(57)【要約】【課題】記録媒体の種別に応じてエンコード方式が切り換えられる記録装置において、装填直後の入力データからの記録開始を実現させ、録音機会を逃さない記録を可能とする。【解決手段】装填された記録媒体の種別判別前に記録開始指示があることに応じて、入力データに対して、複数の内の或るエンコード方式によるエンコード処理を実行させてバッファリングしていく。そして記録媒体への記録可能となったらバッファリングされたデータについて記録媒体への記録を行う。このとき、最初のエンコード方式が装填された記録媒体に適合していれば、第１の記録処理として、そのまま記録する。また最初のエンコード方式が装填された記録媒体に適合していなければ、第２の記録処理としてエンコード方式を切り換え、その切換後の入力データから記録を行ない、切換前のデータについては再エンコードをおこなってから記録する。【選択図】      図４
2005056525.tif 000002
【特許請求の範囲】
【請求項１】
入力データに対してのエンコード処理として記録媒体の種別に応じた複数のエンコード方式の処理を実行可能なエンコード手段と、
上記エンコード手段でエンコードされたデータをバッファリングするバッファメモリ手段と、
上記バッファメモリ手段にバッファリングされたデータを、装填された記録媒体に記録する記録手段と、
装填された記録媒体の種別を判別する種別判別手段と、
上記種別判別手段による判別前に記録開始指示があることに応じて、入力データに対して、上記エンコード手段で或るエンコード方式によるエンコード処理を実行させて上記バッファメモリ手段にバッファリングさせるとともに、上記種別判別手段の判別結果が得られることに応じて、上記エンコード手段のエンコード方式を継続させながら上記バッファメモリ手段におけるバッファリングデータを上記記録手段により記録媒体に記録させる第１の記録処理、又は、上記エンコード手段でのエンコード方式の切換及びバッファリングされたエンコード済データの再エンコード処理を含んで、上記バッファメモリ手段のバッファリングデータを上記記録手段により記録媒体に記録させる第２の記録処理を実行させる制御手段と、
を備えたことを特徴とする記録装置。
【請求項２】
上記制御手段は、上記第１の記録処理においては、上記バッファメモリ手段にバッファリングされたデータについて、時間的に先頭のデータから順に上記記録手段により記録媒体に記録させることを特徴とする請求項１に記載の記録装置。
【請求項３】
上記制御手段は、上記第２の記録処理においては、上記バッファメモリ手段にバッファリングされたデータについて、上記エンコード手段でのエンコード方式の切換後にバッファリングされたデータを先に上記記録手段により記録媒体に記録させ、エンコード方式の切換後にバッファリングされたデータの記録完了後において、エンコード方式の切換前にバッファリングされたデータについて上記エンコード手段により再エンコードを実行させ、上記記録手段により記録媒体に記録させることを特徴とする請求項１に記載の記録装置。
【請求項４】
上記エンコード手段は、複数のエンコード方式にそれぞれ対応して複数のデコード方式のデコード処理が実行可能であるとともに、少なくとも１つのエンコード方式のエンコード処理と、１つのデコード方式のデコード処理とが同時に実行可能とされることを特徴とする請求項１に記載の記録装置。
【請求項５】
上記種別判別手段による判別前に記録開始指示があることに応じて、入力データに対して上記エンコード手段でエンコード処理を実行させる際には、上記制御手段は、その時点で上記エンコード手段において選択されているエンコード方式でのエンコード処理を実行させることを特徴とする請求項１に記載の記録装置。
【請求項６】
上記種別判別手段による判別前に記録開始指示があることに応じて、入力データに対して上記エンコード手段でエンコード処理を実行させる際には、上記制御手段は、上記エンコード手段において、エンコード処理後のデータ品質の高い方のエンコード方式でエンコード処理を実行させることを特徴とする請求項１に記載の記録装置。
【請求項７】
上記種別判別手段による判別前に記録開始指示があることに応じて、入力データに対して上記エンコード手段でエンコード処理を実行させる際には、上記制御手段は、上記エンコード手段において、ビットレートに基づいて選択したエンコード方式でエンコード処理を実行させることを特徴とする請求項１に記載の記録装置。
【請求項８】
入力データに対してのエンコード処理として記録媒体の種別に応じた複数のエンコード方式の処理を実行可能なエンコード手段と、
上記エンコード手段でエンコードされたデータをバッファリングするバッファメモリ手段と、
上記バッファメモリ手段にバッファリングされたデータを、装填された記録媒体に記録する記録手段と、
装填された記録媒体の種別を判別する種別判別手段と、
上記種別判別手段による判別前に記録開始指示があることに応じて、入力データに対して、上記エンコード手段でのエンコード処理を実行させずに上記バッファメモリ手段にバッファリングさせるとともに、上記種別判別手段の判別結果が得られることに応じて、上記エンコード手段のエンコード方式の設定とエンコード処理の開始、及びバッファリングされた未エンコードデータのエンコード処理を含んで、上記バッファメモリ手段のバッファリングデータを上記記録手段により記録媒体に記録させる記録処理を実行させる制御手段と、
を備えたことを特徴とする記録装置。
【請求項９】
上記制御手段は、上記記録処理においては、上記バッファメモリ手段にバッファリングされたデータについて、上記エンコード手段でのエンコード方式の設定後にバッファリングされたデータを先に上記記録手段により記録媒体に記録させ、エンコード方式の設定後にバッファリングされたデータの記録完了後において、バッファリングされた未エンコードデータについて上記エンコード手段によりエンコードを実行させ、上記記録手段により記録媒体に記録させることを特徴とする請求項８に記載の記録装置。
【請求項１０】
入力データに対してのエンコード処理として記録媒体の種別に応じた複数のエンコード方式の処理が実行可能とされ、エンコード方式の異なる複数種別の記録媒体に対して記録可能な記録装置における記録方法として、
装填された記録媒体の種別判別前に記録開始指示があることに応じて、入力データに対して或るエンコード方式によるエンコード処理を実行させてバッファリングさせるステップと、
装填された記録媒体の種別判別を行うステップと、
種別判別結果により、エンコード方式の切換が不要と判別された場合に、そのエンコード方式を継続させながらバッファリングデータを記録媒体に記録させるステップと、
種別判別結果により、エンコード方式の切換が必要と判別された場合に、エンコード方式の切換及びバッファリングされたエンコード済データの再エンコード処理を含んで、バッファリングデータを記録媒体に記録させるステップと、
を備えたことを特徴とする記録方法。
【請求項１１】
入力データに対してのエンコード処理として記録媒体の種別に応じた複数のエンコード方式の処理が実行可能とされ、エンコード方式の異なる複数種別の記録媒体に対して記録可能な記録装置における記録方法として、
装填された記録媒体の種別判別前に記録開始指示があることに応じて、入力データに対してエンコード処理を行わずにバッファリングさせるステップと、
装填された記録媒体の種別判別を行うステップと、
種別判別結果に基づいてエンコード方式を設定しエンコード処理を開始させ、またバッファリングされた未エンコードデータのエンコード処理を含んで、バッファリングデータを記録媒体に記録させるステップと、
を備えたことを特徴とする記録方法。
【発明の詳細な説明】
【技術分野】
【０００１】
本発明はエンコード方式の異なる複数種別の記録媒体に対して記録可能な記録装置、及び記録方法に関するものである。
【背景技術】
【０００２】
近年、各種記録媒体が開発され、また高密度記録等による記録容量の拡大も進められている。さらに新規な記録媒体の開発に伴っては、過去の記録媒体との互換性を維持することも重要となる。
このような事情から、１つの範疇（グループ）の記録媒体として、多様な種別の記録媒体が併存する状況が生じた。
現在普及しているミニディスク（ＭＤ：MINI DISC）を例に挙げる。ミニディスクは、最初にオーディオ記録用途として開発され、その際には、ディスク上にデータを全てエンボスピットで記録する再生専用のディスクと、光磁気ディスクを用い磁界変調方式で記録を行うことで、ユーザーサイドで音楽等の録音が可能な記録再生型のディスクが用意された。
その後、オーディオデータだけでなく、コンピュータユースのデータ等も記録再生できるように、ＭＤ−Dataと呼ばれるフォーマットが開発され、さらに近年、より汎用的にデータを扱うとともに、著しい高密度化を実現したディスクが開発されている。
そしてこれらは、いわゆるミニディスクとしての範疇における各種のディスクであるが、それぞれ略同形状で同サイズのカートリッジに収納されたディスクであり、ミニディスクに対応する記録再生装置に装填可能である。
【０００３】
例えばこのように、複数種類のディスクに対して互換性を維持する記録装置を考えると、それぞれのディスク種別における記録データフォーマットで規定されたエンコード方式の処理を実行できるようにすることが必要である。
即ち、ディスクが装填されると、まずそのディスクの種別を判別し、判別した種別に応じてエンコード方式を設定する。記録が開始された際には、設定されたエンコード方式により、装填されているディスクに適した記録データ処理を行い、ディスクへの記録を実行するものとなる。
【０００４】
ところで、ミニディスクシステムなど、オーディオデータの記録（録音）を行う記録装置については、録音機会を逃さないようにするための技術が提案されている。
例えば下記特許文献１には、録音キーが押された直後からの入力音声データをディスクに録音できるようにしたものが開示されている。
【特許文献１】特開２０００−３４８４１８号公報
【０００５】
通常、ディスクへの記録は、記録装置にディスクを装填した直後から開始することはできない。これは、例えばサーボ系の立ち上げ処理や、ディスクからの管理情報の読出、及び管理情報からの記録可能エリアの検出などの処理が必要なためである。
このため、記録装置にディスクを装填した後、録音が可能となるまでには数〜１０秒程度待たなければならない。しかしながら、急に録音したい事情が生じた場合、このような待ち時間によって録音機会を逃してしまうことがある。
これに対して、録音のための準備処理が整っていなくとも、録音キーが押されたら直ぐに入力データをメモリにバッファリングしていくようにすれば、準備完了前の入力データも逃さず録音することができる。
【発明の開示】
【発明が解決しようとする課題】
【０００６】
このように、記録準備が整う前の時点でも入力データをバッファリングしていくことで、録音機会を逃さないようにする機能は、複数種類のディスクに対して互換性を維持する記録装置においても搭載することが考えられる。
ところが、装填されたディスクに応じてエンコード方式が切り換えられる記録装置の場合、そのような機能は十分に発揮できない。これは次の理由による。
【０００７】
例えばミニディスクシステムにおける記録装置では、入力データは、例えば圧縮エンコードされてバッファメモリにバッファリングされる。また圧縮した上に暗号化が施される場合もある。そしてバッファリングされたデータが順次読み出され、所定の信号処理を経てディスクに記録される。
ここで、圧縮エンコードの方式や暗号化エンコードの有無は、ディスクの種別に応じて切り換えられる。
換言すれば、装填されたディスクの種別が判定された後でなければ圧縮エンコード等のエンコード方式を選定できない。従って、装填されたディスクに応じた圧縮エンコード等を行い、バッファメモリに蓄積する動作についても、ディスク装填後の立ち上げや管理情報の読出を行って、ディスク判別がなされた後でなければできないものとなる。つまり上記のように装填されたディスクに対する初期動作を経た後でなければバッファリングも適切に実行できない。このため、ディスク装填直後の入力データからの録音開始は実行できないものとなってしまう。
【課題を解決するための手段】
【０００８】
そこで本発明は、装填された記録媒体に応じてエンコード方式が切り換えられる記録装置においても、記録媒体装填直後の入力データから記録できるようにすることを目的とする。
【０００９】
本発明の記録装置は、入力データに対してのエンコード処理として記録媒体の種別に応じた複数のエンコード方式の処理を実行可能なエンコード手段と、上記エンコード手段でエンコードされたデータをバッファリングするバッファメモリ手段と、上記バッファメモリ手段にバッファリングされたデータを、装填された記録媒体に記録する記録手段と、装填された記録媒体の種別を判別する種別判別手段と、制御手段とを備える。制御手段は、上記種別判別手段による判別前に記録開始指示があることに応じて、入力データに対して、上記エンコード手段で或るエンコード方式によるエンコード処理を実行させて上記バッファメモリ手段にバッファリングさせるとともに、上記種別判別手段の判別結果が得られることに応じて、第１の記録処理又は第２の記録処理を実行させる。第１の記録処理とは、上記エンコード手段のエンコード方式を継続させながら上記バッファメモリ手段におけるバッファリングデータを上記記録手段により記録媒体に記録させる処理である。第２の記録処理とは、上記エンコード手段でのエンコード方式の切換及びバッファリングされたエンコード済データの再エンコード処理を含んで、上記バッファメモリ手段のバッファリングデータを上記記録手段により記録媒体に記録させる処理である。
また上記制御手段は、上記第１の記録処理においては、上記バッファメモリ手段にバッファリングされたデータについて、時間的に先頭のデータから順に上記記録手段により記録媒体に記録させる。
上記第２の記録処理においては、上記バッファメモリ手段にバッファリングされたデータについて、上記エンコード手段でのエンコード方式の切換後にバッファリングされたデータを先に上記記録手段により記録媒体に記録させ、エンコード方式の切換後にバッファリングされたデータの記録完了後において、エンコード方式の切換前にバッファリングされたデータについて上記エンコード手段により再エンコードを実行させ、上記記録手段により記録媒体に記録させる。
また上記エンコード手段は、複数のエンコード方式にそれぞれ対応して複数のデコード方式のデコード処理が実行可能であるとともに、少なくとも１つのエンコード方式のエンコード処理と、１つのデコード方式のデコード処理とが同時に実行可能とされる。
また上記種別判別手段による判別前に記録開始指示があることに応じて、入力データに対して上記エンコード手段でエンコード処理を実行させる際には、上記制御手段は、その時点で上記エンコード手段において選択されているエンコード方式でのエンコード処理を実行させる。又は、上記エンコード手段において、エンコード処理後のデータ品質の高い方のエンコード方式でエンコード処理を実行させる。又は、ビットレートに基づいて選択したエンコード方式でエンコード処理を実行させる。
【００１０】
また本発明の記録装置は、入力データに対してのエンコード処理として記録媒体の種別に応じた複数のエンコード方式の処理を実行可能なエンコード手段と、上記エンコード手段でエンコードされたデータをバッファリングするバッファメモリ手段と、上記バッファメモリ手段にバッファリングされたデータを、装填された記録媒体に記録する記録手段と、装填された記録媒体の種別を判別する種別判別手段と、制御手段とを有する。制御手段は、上記種別判別手段による判別前に記録開始指示があることに応じて、入力データに対して、上記エンコード手段でのエンコード処理を実行させずに上記バッファメモリ手段にバッファリングさせるとともに、上記種別判別手段の判別結果が得られることに応じて、上記エンコード手段のエンコード方式の設定とエンコード処理の開始、及びバッファリングされた未エンコードデータのエンコード処理を含んで、上記バッファメモリ手段のバッファリングデータを上記記録手段により記録媒体に記録させる記録処理を実行させる。
また上記制御手段は、上記記録処理においては、上記バッファメモリ手段にバッファリングされたデータについて、上記エンコード手段でのエンコード方式の設定後にバッファリングされたデータを先に上記記録手段により記録媒体に記録させ、エンコード方式の設定後にバッファリングされたデータの記録完了後において、バッファリングされた未エンコードデータについて上記エンコード手段によりエンコードを実行させ、上記記録手段により記録媒体に記録させる。
【００１１】
本発明の記録方法は、入力データに対してのエンコード処理として記録媒体の種別に応じた複数のエンコード方式の処理が実行可能とされ、エンコード方式の異なる複数種別の記録媒体に対して記録可能な記録装置における記録方法である。そして、装填された記録媒体の種別判別前に記録開始指示があることに応じて、入力データに対して或るエンコード方式によるエンコード処理を実行させてバッファリングさせるステップと、装填された記録媒体の種別判別を行うステップと、種別判別結果により、エンコード方式の切換が不要と判別された場合に、そのエンコード方式を継続させながらバッファリングデータを記録媒体に記録させるステップと、種別判別結果により、エンコード方式の切換が必要と判別された場合に、エンコード方式の切換及びバッファリングされたエンコード済データの再エンコード処理を含んで、バッファリングデータを記録媒体に記録させるステップとを備える。
【００１２】
また本発明の記録方法は、同じく入力データに対してのエンコード処理として記録媒体の種別に応じた複数のエンコード方式の処理が実行可能とされ、エンコード方式の異なる複数種別の記録媒体に対して記録可能な記録装置における記録方法である。そして、装填された記録媒体の種別判別前に記録開始指示があることに応じて、入力データに対してエンコード処理を行わずにバッファリングさせるステップと、装填された記録媒体の種別判別を行うステップと、種別判別結果に基づいてエンコード方式を設定しエンコード処理を開始させ、またバッファリングされた未エンコードデータのエンコード処理を含んで、バッファリングデータを記録媒体に記録させるステップとを備える。
【００１３】
即ち本発明では、記録媒体が装填された直後に記録指示があった場合は、それに応じて即座に入力データのバッファリングを開始する。このとき、バッファリング前の圧縮等のエンコードについては、複数のエンコード方式のうちの或るエンコード方式でエンコード処理しておく。その後、装填された記録媒体の種別が判別され、もしエンコード方式の切換が必要であれば切り換える。必要でなければ現在のエンコード方式の処理を継続する。そしてバッファリングされたデータについて、記録媒体へのデータ記録を開始する。最初のエンコード方式が装填された記録媒体に対応する方式でなく、エンコード方式の切換が必要であった場合、エンコード方式の切換までにバッファリングされたデータは、そのままでは記録媒体に記録できない。そこで、それらのデータについては記録媒体の種別に適合した再エンコードを行ってから記録媒体に記録する。
また本発明では、記録媒体が装填された直後に記録指示があった場合は、それに応じて即座に入力データのバッファリングを開始する。このとき、入力データについては圧縮等や暗号化等のエンコードを施さないでバッファリングする。その後、装填された記録媒体の種別が判別されたら、それに応じてエンコード方式を設定し、エンコード処理を開始させる。そしてエンコード処理を介してバッファリングされたデータについて、記録媒体へのデータ記録を開始する。ここで最初にエンコードされずにバッファリングされたデータは、そのままでは記録媒体に記録できない。そこで、それらのデータについては所定時点でエンコードを行ってから記録媒体に記録する。
【発明の効果】
【００１４】
本発明によれば、装填された記録媒体の種別判別前に記録開始指示があることに応じて、入力データに対して、複数の内の或るエンコード方式によるエンコード処理を実行させてバッファリングしていく。このようにすることで、記録媒体の装填時の処理を行っている間、つまりディスク判別が行われるまでの間でも、入力データを確保しておくことができる。そして記録媒体への記録可能となったらバッファリングされたデータについて記録媒体への記録を行う。このとき、最初のエンコード方式が装填された記録媒体に適合していれば、第１の記録処理として、そのまま記録を行えばよい。また最初のエンコード方式が装填された記録媒体に適合していなければ、第２の記録処理としてエンコード方式を切り換え、その切換後の入力データから記録を行ない、切換前のデータについては再エンコードをおこなってから記録すればよい。このような動作により、記録媒体の種別に応じてエンコード方式が切り換えられる記録装置において、装填直後の入力データからの記録開始が実現できる。つまり録音機会を逃さないような記録動作が可能となるという効果がある。
【００１５】
また第１の記録処理においては、バッファリングされたデータについて、時間的に先頭のデータから順に記録媒体に記録することで、入力データの時間的な前後と、記録媒体上での物理的な位置の前後を合わせて記録していくことができる。さらに再エンコードが不要であるため、処理負担が軽くまた再エンコードでデータ品質が劣化する可能性はない。
一方、第２の記録処理においては、エンコード方式の切換前にバッファリングされたデータについての再エンコード及び記録は、エンコード方式の切換後に入力されバッファリングされたデータの記録完了後に行うことで、リアルタイムに入力されてくる入力データを適切に記録できる。
またエンコード手段が、少なくとも１つのエンコード方式のエンコード処理と、１つのデコード方式のデコード処理とが同時に実行可能とされることで、再エンコード処理を簡易化できる。
また装填された記録媒体の種別判別前の時点での入力データに対するエンコード方式は、その時点でエンコード手段において選択されているエンコード方式とすることで、特にエンコード方式選択のための処理負担は無い。
或いはデータ品質の高い方のエンコード方式でエンコード処理を実行させることや、ビットレートに基づいて選択したエンコード方式でエンコード処理を実行させることで、再エンコードが必要な場合のデータ劣化を最小限としたり、バッファメモリにおいて再エンコードするデータの保持領域を小さくするなど、動作或いは設計事情に応じた処理が可能となる。
【００１６】
また本発明によれば、装填された記録媒体の種別判別前に記録開始指示があることに応じて、入力データに対して、エンコード処理を実行せずにバッファリングしていく。このようにすることで、記録媒体の装填時の処理を行っている間、つまりディスク判別が行われるまでの間でも、入力データを確保しておくことができる。そしてディスク判別が行われたらエンコード方式を設定し、入力データに対するエンコード処理を開始させて、バッファリング及び記録媒体への記録を行う。このとき、バッファリングされているエンコード方式設定前のデータについては、所定時点でエンコードをおこなってから記録する。このような動作によっても、記録媒体の種別に応じてエンコード方式が切り換えられる記録装置において、装填直後の入力データからの記録開始が実現できる。つまり録音機会を逃さないような記録動作が可能となるという効果がある。
さらにこの場合は、最初にエンコード処理を施さずにバッファリングしておき、そのデータについてはエンコード方式設定後にはじめてエンコードされる。つまり、再エンコードのためのデコード及びエンコードは行われず、その分データ品質（例えば音質）を劣化させないものとすることができる。
【発明を実施するための最良の形態】
【００１７】
以下、本発明の実施の形態を説明していく。実施の形態では、ミニディスクシステムにおける記録再生装置を例に挙げる。各実施の形態の説明に先立って、本例の記録再生装置でデータ記録可能なディスク種別及びエンコード方式について説明しておく。
【００１８】
＜ディスク種別及びエンコード方式＞
本実施の形態の記録再生装置１で記録媒体とされるディスクは、ミニディスク方式のディスクである。特に従前の音楽用のミニディスクだけではなく、コンピュータユースの各種データを記録できる高密度ディスクにも対応する。
まずここで、ミニディスク方式としての範疇に属し、本例の記録再生装置１に装填可能な各種の種別のミニディスクについて述べておく。
なお区別のために、各種別のミニディスクの名称として、「再生専用ＭＤ」「録再ＭＤ」「高密度ＭＤタイプＡ」「高密度ＭＤタイプＢ」「再生専用高密度ＭＤ」「高密度ＭＤタイプＣ」という用語を用いる。これらはあくまで本明細書での説明上の名称である。各種別のディスクは次のようなものである。
【００１９】
再生専用ＭＤとは、一般にプリマスタードディスクと呼ばれる再生専用のオーディオ用途のＭＤを指す。データは全てエンボスピットで記録される。
録再ＭＤとは、光磁気ディスクとして形成され、磁界変調方式でデータの記録再生が可能とされたＭＤであり、オーディオ用途とされたＭＤを指す。
これら再生専用ＭＤと録再ＭＤは、いわゆる第１世代のＭＤであり、オーディオＭＤとして現在広く普及している。
なお、第１世代のＭＤの後に、オーディオ用途を拡張して一般データ記録用途に開発された、ＭＤ−ＤＡＴＡと呼ばれるものが存在するが、本明細書ではＭＤ−ＤＡＴＡは上記録再ＭＤまたは再生専用ＭＤに属するものとして扱う。
【００２０】
その後、ＭＤ方式に準拠して高密度化を進めた次世代ＭＤが開発された。これらを高密度ＭＤとする。高密度ＭＤは汎用的なデータストレージ用途に対応可能とされ、また第１世代ＭＤに比して倍以上の記録容量を実現した。
そしてその高密度ＭＤとしても開発が進み、現状では数種類の種別が存在する。これらを上記のように「高密度ＭＤタイプＡ」「高密度ＭＤタイプＢ」「高密度ＭＤタイプＣ」と呼ぶこととする。
【００２１】
ここで第１世代のＭＤ（再生専用ＭＤ、録再ＭＤ（及びＭＤ−ＤＡＴＡ））と、高密度ＭＤ（高密度ＭＤタイプＡ、高密度ＭＤタイプＢ、再生専用高密度ＭＤ、高密度ＭＤタイプＣ）の規格を比較して示す。
第１世代のＭＤ（及びＭＤ−ＤＡＴＡ）のフォーマットとしては、トラックピッチは１．６μｍ、ビット長は０．５９μｍ／ｂｉｔとなる。また、レーザ波長λ＝７８０ｎｍとされ、光学ヘッドの開口率ＮＡ＝０．４５とされる。
録再ＭＤでは、記録方式としては、グルーブ記録方式を採っている。つまり、グルーブ（ディスク盤面上の溝）をトラックとして記録再生に用いるようにしている。
アドレス方式としては、シングルスパイラルによるグルーブ（トラック）を形成したうえで、このグルーブの両側に対してアドレス情報としてのウォブルを形成したウォブルドグルーブを利用する方式を採るようにされている。なお、ウォブリングにより記録される絶対アドレスはＡＤＩＰ（Address in Pregroove）とも呼ばれる。
再生専用ＭＤではグルーブは形成されず、エンボスピット列によりトラックが形成されており、またアドレスはデータとともに記録される。
【００２２】
これら第１世代のＭＤでは、記録データの変調方式としてはＥＦＭ（８−１４変換）方式を採用している。また、誤り訂正方式としてはＡＣＩＲＣ(Advanced Cross Interleave Reed-Solomon Code) が採用され、データインターリーブには畳み込み型を採用している。データの冗長度は４６．３％となる。
また、データの検出方式はビットバイビット方式である。ディスク駆動方式としてはＣＬＶ(Constant Linear Verocity)が採用されており、ＣＬＶの線速度としては、１．２ｍ／ｓとされる。
そして、記録再生時の標準のデータレートとしては、１３３ｋＢ／ｓとされ、記録容量としては、１６４ＭＢ（ＭＤ−ＤＡＴＡでは１４０ＭＢ）となる。
またクラスタというデータ単位がデータの最小書換単位とされるが、このクラスタは、３２個のメインセクターと４個のリンクセクターによる３６セクターで構成される。
【００２３】
一方、高密度ＭＤとしては、現状において、２つの規格が存在する。即ち高密度ＭＤタイプＡ及びダイプＢ（再生専用高密度ＭＤを含む）としての規格と、さらに高密度化が実現された高密度ＭＤタイプＣとしての規格である。
先ず、高密度ＭＤタイプＡ／タイプＢの場合は、トラックピッチが１．５〜１．６μｍ、線密度０．４３７μｍ／bitであり、記録容量としては３００ＭＢまで高くなっている。また、標準速度における転送レートは、４．３７Ｍｂｐｓ、線速度は、２．４ｍ／secとなっている。
また、高密度ＭＤタイプＣの場合は、トラックピッチが１．２５μｍ、線密度０．１６μｍ／bitであり、記録容量は１ＧＢにまで高められている。また、標準速度における転送レートは、９．８３Ｍｂｐｓ、線速度は、１．９８ｍ／secとなっている。
【００２４】
なお、高密度ＭＤでの記録データの変調方式としては、高密度記録に適合するとされるＲＬＬ（１，７）ＰＰ方式（ＲＬＬ；Run Length Limited、ＰＰ：Parity preserve/Prohibit rmtr(repeated minimum transition runlength)）が採用され、誤り訂正方式としては、より訂正能力の高いＢＩＳ（Burst Indicator Subcode）付きのＲＳ−ＬＤＣ（Reed Solomon−Long Distance Code）方式を用いている。データインターリーブにはブロック完結型が採用される。データの冗長度は２０．５０％とされる。
またデータの検出方式はパーシャルレスポンスＰＲ（１，２，１）ＭＬを用いたビタビ復号方式とされる。
なおＲＬＬ（１−７）変調及びＲＳ−ＬＤＣ誤り訂正方式については、例えば「特開平１１−３４６１５４号公報」や、「国際特許公開公報ＷＯ  ００／０７３００」などに開示されている技術である。
またディスク駆動方式はＣＬＶ（Constant Linear Verocity）又はＺＣＡＶ（Zone Constant Angular Verocity）である。
【００２５】
ＭＤの範疇としては、現状として以上のような種別がある。但し本例においては、これらのそれぞれの種別のディスクを第１種ディスク、第２種ディスクに大別する。
第２種ディスクとは、上述した高密度ＭＤタイプＣが相当し、それ以外は全て第１種ディスクとする。
この第１種、第２種は、圧縮エンコード及び暗号化エンコードによる区別である。
第１種ディスクに対するデータ記録の際には、ＡＴＲＡＣ又はＡＴＲＡＣ３と呼ばれる圧縮エンコード方式が用いられる。ＡＴＲＡＣ、ＡＴＲＡＣ３は、ユーザーが選択した記録モードによって選ばれる。
また第２種ディスクに対するデータ記録の際には、ＡＴＲＡＣ３ｐｌｕｓと呼ばれる圧縮エンコード方式が用いられ（なお圧縮されない場合もある）、さらに暗号化エンコードが行われる。
【００２６】
第１種ディスク、第２種ディスクに対する記録処理を図２に示す。
例えばオーディオデータとしてリニアＰＣＭデータ（非圧縮データ）が記録装置に入力されるとする。
【００２７】
第１種ディスクが装填されている場合は、記録装置では図２（ａ）のＳ１〜Ｓ４の処理が行われる。
Ｓ１：入力データをＡＴＲＡＣ又はＡＴＲＡＣ３方式で圧縮エンコードする。
Ｓ２：圧縮エンコードしたデータをバッファメモリに一時的にバッファリングする。
Ｓ３：バッファメモリからデータを読み出し、記録用のエンコードとしてＥＦＭエンコード又はＲＬＬ（１，７）ｐｐエンコードを行う。
Ｓ４：記録用にエンコードされたデータをディスクに記録する。
【００２８】
一方、第２種ディスクが装填されている場合は、記録装置では図２（ｂ）のＳ１１〜Ｓ１５の処理が行われる。
Ｓ１１：入力データをＡＴＲＡＣ３ｐｌｕｓ方式で圧縮エンコードする。
Ｓ１２：暗号化エンコードを行う。なお波線で示すように、入力されたリニアＰＣＭデータを圧縮しないで暗号化する場合もある。
Ｓ１３：圧縮エンコード及び暗号化したデータをバッファメモリに一時的にバッファリングする。
Ｓ１４：バッファメモリからデータを読み出し、記録用のエンコードとしてＲＬＬ（１，７）ｐｐエンコードを行う。
Ｓ１５：記録用にエンコードされたデータをディスクに記録する。
【００２９】
本例において第１種ディスク、第２種ディスクを区別するのは、入力からバッファメモリまでの間のエンコード処理の違いによるものである。
これは、装填されたディスクの種別を判別する前に、入力データのバッファリングを行うことに応じた区別であるともいえる。つまり本発明の目的たる、ディスク装填直後からの入力データを記録できるようにするための処理に関わる区別である。
入力データに関しては、装填されたディスクの種別判別（第１種／第２種）がなされた後でなければ、ＡＴＲＡＣ又はＡＴＲＡＣ３方式の処理を実行すべきか、或いはＡＴＲＡＣ３ｐｌｕｓ方式の処理を実行すべきか、さらには暗号化処理を行うべきか否かがわからないが、後述するように本例では、第１種／第２種の別が判別される前の時点で圧縮エンコードを開始する。そして装填されたディスクについて第１種／第２種の別が判別された時点で、圧縮エンコード方式及び暗号化の有無は確定される。
なお、上記Ｓ３，Ｓ１４として示した記録用のエンコードについては、ここでいう第１種／第２種の別ではなく、上記した第１世代ＭＤであればＥＦＭエンコード、高密度ＭＤであればＲＬＬ（１，７）ｐｐエンコードが行われる。この場合もエンコード方式はディスク種別判別に応じて切り換えられる。
【００３０】
ところで、第１種ディスクの場合は、圧縮エンコードとしてＡＴＲＡＣ又はＡＴＲＡＣ３方式が実行されると述べた。また第２種ディスクの場合は圧縮エンコードとしてＡＴＲＡＣ３ｐｌｕｓ方式が実行され、さらに暗号化が施されるが、圧縮エンコードされずに暗号化が行われる場合もあるとした。これらの事情について説明しておく。
第１種ディスクに対する記録モードとしては、例えばオーディオデータの記録時間長やステレオ／モノラル記録の異なるモードとして、図３にモード１−ａ、１−ｂ、１−ｃ、１−ｄとして示す記録モードが用意されている。
また第２種ディスクに対する記録モードとしては、図３にモード２−ａ、２−ｂ、２−ｃとして示す記録モードが用意されている。
これらはユーザーが任意に選択できる記録モードである。各記録モードは、次のようなものである。
【００３１】
・第１種ディスクに対応するモード
モード１−ａ：ＡＴＲＡＣ方式で圧縮を行う。ビットレートは２９２kbpsである。
モード１−ｂ：ＡＴＲＡＣ３方式で圧縮を行う。ビットレートは１３２kbpsである。
モード１−ｃ：ＡＴＲＡＣ３方式で圧縮を行う。ビットレートは６６kbpsである。
モード１−ｄ：ＡＴＲＡＣ方式で圧縮を行う。モノラル記録である。ビットレートは１４６kbpsである。
・第２種ディスクに対応するモード
モード２−ａ：ＡＴＲＡＣ３ｐｌｕｓ方式で圧縮し暗号化する。ビットレートは２５６kbpsである。
モード２−ｂ：ＡＴＲＡＣ３ｐｌｕｓ方式で圧縮し暗号化する。ビットレートは６４kbpsである。
モード２−ｃ：圧縮せずに暗号化する。ビットレートは１．４Mbpsである。
【００３２】
これらの各モードは、初期設定として、第１種ディスク、第２種ディスクのそれぞれに対応して１つのモードが設定されており、またユーザーは希望の音質レベルや記録可能時間長に応じて任意に選択できるものである。
例えば第１種ディスクについてモード１−ａが選択され、また第２種ディスクについてモード２−ａが選択されている状態では、第１種ディスクが装填されていれば図２（ａ）の処理Ｓ１としてＡＴＲＡＣ方式の圧縮エンコードが行われ、また第２種ディスクが装填されていれば、図２（ｂ）のＳ１１，Ｓ１２の処理が行われるものである。
なお通常、記録動作中にこれら記録モードが変更されることはない。
【００３３】
＜第１の実施の形態＞
上記の第１種／第２種ディスクに対して記録再生可能な記録再生装置として第１の実施の形態の記録再生装置の構成を図１で説明する。
図示するように記録再生装置は、システムコントローラ１，端子２、入出力バッファ３，圧縮エンコーダ／デコーダ４、暗号化／復号処理部５、バッファメモリ６、記録再生エンコーダ／デコーダ７、記録再生部８、メモリ制御部９、操作部１０、表示部１１が設けられる。
【００３４】
端子２は、例えば非圧縮のオーディオデータ（リニアＰＣＭデータ）として、記録データ、再生データを図示しない回路部又は装置に対して入出力する端子を示している。
入出力バッファ３は、端子２からの入力データ（ディスクへの記録データ）を信号処理タイミングを考慮して一時的に格納し、また端子２から出力する出力データ（ディスクからの再生データ）を出力先の処理に合わせて一時的に格納する。
【００３５】
圧縮エンコーダ／デコーダ４は、入力された非圧縮データに対する圧縮処理や、圧縮データに対するデコード（解凍）処理を行う。ここでは、システムコントローラ１からのモード指示（ディスクモード／記録モード）に応じて、ＡＴＲＡＣ方式、又はＡＴＲＡＣ３方式、又はＡＴＲＡＣ３ｐｌｕｓ方式のエンコード／デコードが実行される。
なお説明上、ディスクモードとは、装填されたディスクについての上述した第１種／第２種の別によって決定されるもモードのことをいう。また記録モードとは、第１種ディスクモードにおける上記モード１−ａ〜１−ｄの別、及び第２種ディスクモードにおける上記モード２−ａ〜２−ｃの別を指すものとする。
【００３６】
暗号化／復号処理部５は、ディスクに記録すべきデータについて、所定のアルゴリズムによる暗号化エンコード処理を施すようにされる。また、暗号化処理の施されているデータについての復号処理も行う。
本例の場合、第２種ディスクへの記録の場合は、データを暗号化するが、そのため圧縮エンコーダ／デコーダ４で圧縮エンコードされたデータについて暗号化処理したり、或いは圧縮処理されないリニアＰＣＭデータについて暗号化処理を行う。また、第２種ディスクから読み出された暗号化データを出力する際には、その暗号化に対する復号処理を行う場合もある。さらに後述する再エンコード処理に際しては、バッファメモリ６から読み出されたデータについて暗号化や復号処理を行う場合がある。
【００３７】
バッファメモリ６は、ディスクに記録すべきデータ、或いはディスクから読み出されたデータをその転送過程において一時的に記憶するメモリである。
例えばディスクへのオーディオデータの記録時には、端子２からリアルタイムで供給され圧縮エンコード等を行ったデータがバッファメモリ６に蓄積されていく。そしてバッファメモリに蓄積されたデータは高転送レートで例えば間欠的に読み出され、記録再生エンコーダ／デコーダ７に転送されディスクに記録されていく。
また再生時には、ディスクから読み出され記録再生エンコーダ／デコーダ７でデコードされたデータがバッファメモリに蓄積される。そしてバッファメモリ６から読み出されたデータは、圧縮に対するデコードなど必要な処理を経て入出力バッファ３に供給され、端子２から出力される。
バッファメモリ６ではこのような転送経路におけるデータのバッファリングを行うため、その記憶領域はリングメモリ的に用いられる。またこのバッファメモリ６により、リアルタイムデータについてのいわゆるショックプルーフ機能も実現される。
【００３８】
通常の記録時において、バッファメモリ６に蓄積されるデータとしては、第１種ディスクへの記録の場合であれば、圧縮エンコーダ／デコーダ４でＡＴＲＡＣ方式又はＡＴＲＡＣ３方式で圧縮されたデータとなる。また第２種ディスクへの記録の場合であれば、圧縮エンコーダ／デコーダ４でＡＴＲＡＣ３方式で圧縮され暗号化／復号処理部５で暗号化されたデータ、或いは圧縮されずに暗号化／復号処理部５で暗号化されたデータとなる。
バッファメモリ６に対するデータ書込、データ読出、及び転送元／転送先についてはメモリ制御部９によって制御される。即ちバッファメモリ６における書込／読出アドレスや、書込／読出対象のデータの入力経路、出力経路がメモリ制御部９によって制御される。メモリ制御部９はシステムコントローラ１の動作指示に応じて書込／読出／転送制御を行う。なお、メモリ制御部９は、システムコントローラ１におけるソフトウエアにより実現されても良い。
【００３９】
記録再生エンコーダ／デコーダ７は、ディスク上に記録するデータとしてのエンコード及びデコードを行う。つまり第１世代ＭＤへの記録の場合はＥＦＭエンコード、その再生の場合はＥＦＭデコードを行い、高密度ＭＤへの記録の場合はＲＬＬ（１，７）ｐｐエンコード、その再生の場合はＲＬＬ（１，７）ｐｐデコードを行う。
また記録時にはエラー訂正符号の付加、再生時にはエラー訂正処理を行うが、ディスクが第１世代ＭＤの場合はエラー訂正のためにＡＣＩＲＣ処理、ディスクが高密度ＭＤの場合はエラー訂正のためにＲＳ−ＬＤＣ処理を行う。
【００４０】
記録再生部８は、ディスクが装填されるとともに、そのディスクに対してデータの記録再生を行う部位である。即ち、ディスクローディング機構、記録再生ヘッド、記録再生信号処理回路、スピンドル機構、各種サーボ機構、サーボ制御回路などを有し、システムコントローラ１の制御に応じてディスクへのデータ記録再生を行う。
【００４１】
表示部１１は、システムコントローラ１の制御に基づいて、ユーザーに対して提示すべき各種情報の表示を行う。例えば動作状態、モード状態、楽曲等のデータの名称情報、トラックナンバ、時間情報、その他の情報表示を行う。
操作部１０には、ユーザーの操作のための各種操作子として、操作キーやジョグダイヤルなどが形成される。ユーザーは記録・再生、データ通信のための所要の動作を操作部１０を操作して指示する。システムコントローラ１は操作部１０によって入力された操作情報に基づいて所定の制御処理を行う。
【００４２】
システムコントローラ１は例えばマイクロコンピュータによって形成され、記録再生動作に関し、上記各部が所要の機能を実行するように制御を行う。
例えばシステムコントローラ１は、圧縮エンコーダ／デコーダ４に対しては、圧縮エンコード指示、圧縮デコード指示、及び圧縮エンコード又は圧縮デコードの際の方式の指示（ＡＴＲＡＣ方式、ＡＴＲＡＣ３方式、ＡＴＲＡＣ３ｐｌｕｓ方式の指示）を行う。
なお、ユーザー操作に応じて上述した記録モード（モード１−ａ〜１−ｄ、及びモード２−ａ〜２−ｃ）の指定も行う。
またシステムコントローラ１は、暗号化／復号処理部５に対しては、暗号化処理、復号処理の指示を行う。
またシステムコントローラ１は記録再生エンコーダ／デコーダ７に対しては、エンコード指示、デコード指示、及びエンコード又はデコードの際の方式の指示（ＥＦＭ及びＡＣＩＲＣか、ＲＬＬ（１，７）ｐｐ及びＲＳ−ＬＤＣかの指示）を行う。
またシステムコントローラ１はメモリ制御部９に対してバッファリング指示や転送指示を行う。
またシステムコントローラ１は記録再生部８に対して記録動作／再生動作、アクセス動作等の制御を行う。
【００４３】
このような記録再生装置による記録動作を説明する。
ディスクが記録再生部８に装填された場合は、システムコントローラ１はまず記録再生部８により初期動作を実行させる。
この初期動作とは、記録再生部８において記録又は再生のための立ち上げ、つまりスピンドルモータの整定、フォーカス、トラッキングサーボ系の整定、記録再生ヘッドによる管理情報（ディスク内周側に記録されたＰ−ＴＯＣ、Ｕ−ＴＯＣと呼ばれるデータ）の読出、及びディスク種別判別などの処理である。
【００４４】
装填されたディスクの種別判別が行われた後において、例えばユーザーが操作部１０から記録指示を行った場合は、上述した図２の処理により通常の記録が行われる。つまりディスクが第１種ディスクであった場合は、第１種ディスクモードとして、入力データに対して圧縮エンコーダ／デコーダ４においてＡＴＲＡＣ又はＡＴＲＡＣ３方式で圧縮を行い、バッファメモリ６にバッファリングする。そして記録再生エンコーダ／デコーダ７においてエラー訂正符号の付加、ＥＦＭ又はＲＬＬ（１，７）ｐｐエンコードを行って記録再生部８に転送させる。そして記録再生部８においてディスクへのデータ書込を実行させる。
またディスクが第２種ディスクであった場合は、第２種ディスクモードとして、入力データに対して圧縮エンコーダ／デコーダ４においてＡＴＲＡＣ３ｐｌｕｓ方式で圧縮を行い（記録モード２−ｃの場合は圧縮せず）、暗号化／復号処理部５で暗号化を行った上でバッファメモリ６にバッファリングする。そして記録再生エンコーダ／デコーダ７においてエラー訂正符号の付加、及びＲＬＬ（１，７）ｐｐエンコードを行って記録再生部８に転送させる。そして記録再生部８においてディスクへのデータ書込を実行させる。
【００４５】
本例では、このような通常の記録だけでなく、ユーザーが緊急の録音を求めた場合に、録音機会を逃すことなくデータをディスクに記録できるようにする。つまり、ディスクが装填され、まだ初期動作が完了せず、ディスク判別がなされていない時点で録音操作が行われた場合でも、その際の入力データを逃さずディスクに記録できるようにする。
以下、このような記録処理について述べる。
【００４６】
図４は、ディスク装填直後に記録操作が行われた場合のシステムコントローラ１による処理を示している。
ディスク装填直後、つまり初期動作が完了していない時点で記録操作が行われると、システムコントローラ１はまずステップＦ１０１として、現在のディスクモードでの入力データのエンコード及びバッファメモリ６へのバッファリングを開始させる。
ディスクモードとは、第１種／第２種ディスクの別を示すモードであり、現在のディスクモードとは、例えば今回のディスク装填以前に装填されていたディスクに応じたモード、或いは電源投入後のデフォルトモードとして選択される方のモードである。つまり、その時点で圧縮エンコーダ／デコーダ４及び暗号化／復号処理部５に設定されているモードである。
従って、現在第１種ディスクモードとなっていた場合は、圧縮エンコーダ／デコーダ４では、ＡＴＲＡＣ又はＡＴＲＡＣ３方式で圧縮エンコードを行い、その圧縮データがバッファメモリ６にバッファリングされることになる。なお、この場合、ＡＴＲＡＣ方式の処理かＡＴＲＡＣ３方式の処理かの別は、その時点の記録モードに応じて決められる。但し、後述するが、その時点の記録モードが上述したモード１−ｄ、つまりモノラルで記録を行うモードである場合は例外であり、これについては後述する。
また、現在第２種ディスクモードとなっていた場合は、圧縮エンコーダ／デコーダ４では、ＡＴＲＡＣ３ｐｌｕｓ方式で圧縮エンコードを行い、その圧縮データが暗号化／復号処理部５で暗号化された上で、バッファメモリ６にバッファリングされる。なお、その時点の記録モードがモード２−ｃ、つまりリニアＰＣＭデータ記録を行うモードであった場合は、圧縮エンコーダ／デコーダ４での圧縮処理は行われず、リニアＰＣＭデータが暗号化／復号処理部５で暗号化されてバッファメモリ６にバッファリングされる。
【００４７】
システムコントローラ１は、入力データについてエンコード及びバッファリングを開始させたら、ステップＦ１０２で記録再生部８に対して初期動作を開始させる。これに応じて記録再生部８において初期動作、即ち上述したようにサーボ系の整定や管理情報読出が行われる。読み出された管理情報については、記録再生エンコーダ／デコーダ７を介してバッファメモリ６に取り込まれる。図５（ａ）にバッファメモリ６の記憶領域を模式的に示すが、図示するようにディスクから読み出した管理情報を格納する管理情報エリアが確保される。このため、バッファメモリ６においては、管理情報エリアを除いた領域が、記録再生データのデータバッファエリアとして使用されることになる。
システムコントローラ１は、管理情報エリアに取り込まれたＰ−ＴＯＣ、Ｕ−ＴＯＣ等の管理情報を参照することで、装填されたディスクの情報、例えば既に記録されたデータのアドレスや記録可能なフリーエリアのアドレスを知ることができる。また管理情報にはディスク種別の判別のための情報も含まれるため、それを参照する。
また、ステップＦ１０２での制御によって行われる初期動作によって、装填されるディスクの種別も判別される。種別判別については詳述を避けるが、管理情報内容としての種別コード、グルーブの深さによる信号の位相差、エラー訂正方式、ディスクカートリッジの検出孔、ディスク内周側のＢＣＡ（バーストカッティングエリア）の有無、などを判別することで、上述した再生専用ＭＤ、録再ＭＤ、高密度ＭＤタイプＡ、高密度ＭＤタイプＢ、再生専用高密度ＭＤ、高密度ＭＤタイプＣとしての判別が可能である。
そしてこれらが判別されれば、本例の図４の処理に関しては、第１種ディスクであるか、第２種ディスクであるかが判別できる。
【００４８】
記録再生部８において初期動作が完了することで、記録再生部８でディスクに対するデータ記録が可能となると共に、システムコントローラ１は装填されたディスクが第１種ディスクであったか第２種ディスクであったかを判別できることとなる。
ステップＦ１０３では、システムコントローラ１はディスクモードの切換が必要であるか否かを判断する。つまり、上記ステップＦ１０１では、第１種／第２種ディスクの判別前において、現在のディスクモードでエンコード及びバッファリングを開始させていた。もし、そのディスクモードと装填されたディスク種別が適合していれば、ディスクモードの切換は不要である。一方、適合していなければ、ディスクモードを切り換えなければならない。
【００４９】
上記ステップＦ１０１の時点のディスクモードと、装填されたディスク種別が適合しており、ディスクモードの切換が不要であると判断した場合は、ステップＦ１０４に進み、バッファメモリ６にバッファリングされたデータについてのディスクへの記録を開始させる。即ちこの場合、この時点までにおいてバッファメモリ６にバッファリングしたデータは、そのまま記録データ処理して良いものであるため、バッファリングされたデータを先頭から読み出して記録再生エンコーダ／デコーダ７に転送し、種別（この場合は第１世代ＭＤ／高密度ＭＤの別）に応じたエンコード処理を行わせ、記録再生部８においてディスクに記録させる。
もちろん、その後続いて入力されてくるデータについても、同様に圧縮エンコード及びバッファリングを行い、バッファリングされたデータを記録再生エンコーダ／デコーダ７に転送し、記録再生部８によりディスクに記録させていく。
【００５０】
このときのバッファメモリ６上での様子を図５（ｂ）で説明する。上記ステップＦ１０１の時点から開始されるバッファリングにおいて、データはバッファメモリ６のアドレスＡＤ１から書き込まれたとする。そして初期動作が完了しディスク判別ができた時点で、アドレスＡＤｎまでバッファリングが行われていたとする。
この斜線部で示すようにバッファリングされたデータＤ１は、ディスク種別を考慮しないでバッファリングしたデータである。
ところが、ステップＦ１０３でディスクモードが切換不要と判別された場合は、このデータＤ１は、装填されたディスクに適合した状態で、圧縮／暗号化についてのエンコードが施されたデータである。従って、ステップＦ１０４でディスクへの記録を開始する場合には、アドレスＡＤ１に記憶された先頭データから順に記録再生エンコーダ／デコーダ７側に転送し、記録処理させていけばよい。
【００５１】
具体的には、例えば最初に第１種ディスクモードとされ、圧縮エンコーダ／デコーダ４においてＡＴＲＡＣ又はＡＴＲＡＣ３方式で圧縮されたデータがバッファリングされており、その後装填されたディスクが第１種ディスクと判定されたのであれば、そのバッファリングされたデータＤ１は、そのまま記録処理してもよい。
また、例えば最初に第２種ディスクモードとされ、圧縮エンコーダ／デコーダ４においてＡＴＲＡＣ３ｐｌｕｓ方式での圧縮（又は非圧縮）及び暗号化／復号処理部５で暗号化されたデータがバッファリングされており、その後装填されたディスクが第２種ディスクと判定されたのであれば、そのバッファリングされたデータＤ１は、そのまま記録処理してもよい。
【００５２】
また、ステップＦ１０４に進んだ以降、つまりディスク種別判別がなされた以降に入力されてくるデータについては、同様にエンコードされてアドレスＡＤｎ以降にバッファリングされ、順に読み出されてディスクに記録される。
つまり、この場合、バッファメモリ６においては、アドレスＡＤ１〜ＡＤｍのデータバッファエリアの全体がそのままデータバッファエリアとして、リングメモリ形態で用いられるものとなる。
【００５３】
ステップＦ１０４で開始された記録処理は、ステップＦ１０５で記録終了と判断されるまで継続される。例えばユーザーの操作や、或いはデータ入力の終了などで、システムコントローラ１が記録終了と判断し、バッファメモリ６にバッファリングされたデータを全てディスクに記録したら、記録再生部８におけるデータ記録動作を終了させる。そしてステップＦ１１０に進み、今回の記録に応じて管理情報を更新し、記録処理を終える。管理情報は例えばバッファメモリ６の管理情報エリアにおいて内容を更新し、その後所定時点でディスク上の管理情報を書き換える。
【００５４】
一方、ステップＦ１０３において、ステップＦ１０１の時点のディスクモードと、装填されたディスク種別が適合しておらず、ディスクモードの切換が必要であると判断した場合は、システムコントローラ１の処理はステップＦ１０６に進む。
この場合、まずディスクモード切換制御を行う。つまり圧縮エンコーダ／デコーダ４及び暗号化／復号処理部５に対してディスクモード切換指示を発する。
もし、それまで第１種ディスクモードとされていたなら、圧縮エンコーダ／デコーダ４及び暗号化／復号処理部５に対して第２種ディスクモードへの切換を指示する。また、それまで第２種ディスクモードとされていたなら、圧縮エンコーダ／デコーダ４及び暗号化／復号処理部５に対して第１種ディスクモードへの切換を指示する。
【００５５】
次にステップＦ１０７に進み、ディスクへの記録処理を開始する。この場合、ディスクモード切換以降に入力されてくるデータについて、切り換えたディスクモードでの入力データの圧縮／暗号化エンコード、バッファリング、バッファリングしたデータの記録再生エンコーダ／デコーダ７への転送、記録再生部８におけるディスクへの記録を実行させる。
即ちこの場合、この時点までにおいてバッファメモリ６にバッファリングしたデータは、そのまま記録データ処理することができないため、ディスクモード切換以降の入力データからディスク記録を実行させる。
【００５６】
このときのバッファメモリ６上での様子を同じく図５（ｂ）で説明する。上記ステップＦ１０１の時点から開始されるバッファリングで記憶されたデータＤ１は、この場合、装填されたディスクに適合しない状態で、圧縮／暗号化についてのエンコードが施されたデータである。
その後、ディスクモードが切り換えられた以降の入力データは、装填されたディスクに適合した圧縮／暗号化エンコードが施されたデータとされて、アドレスＡＤｎに続いてバッファリングされていく。従って、ステップＦ１０７でディスクへの記録を開始する場合には、アドレスＡＤ１〜ＡＤｎに記憶されたデータＤ１についてはそのまま保持しておき、アドレスＡＤｎ＋１以降に書き込まれたデータから順に読み出して記録再生エンコーダ／デコーダ７側に転送し、記録処理させていく。そして、この場合、アドレスＡＤ１〜ＡＤｎに記憶されたデータＤ１についてはそのまま保持しておくため、アドレスＡＤｎ＋１〜ＡＤｍをリングバッファとして用い、後続して入力されてくるデータのバッファリングを行うものとなる。
【００５７】
具体的には、例えば最初に第１種ディスクモードとされ、圧縮エンコーダ／デコーダ４においてＡＴＲＡＣ又はＡＴＲＡＣ３方式で圧縮されたデータがバッファリングされており、その後装填されたディスクが第２種ディスクと判定されたのであれば、そのバッファリングされたデータＤ１は、そのまま記録処理することはできない。
また、例えば最初に第２種ディスクモードとされ、圧縮エンコーダ／デコーダ４においてＡＴＲＡＣ３ｐｌｕｓ方式での圧縮（又は非圧縮）及び暗号化／復号処理部５で暗号化されたデータがバッファリングされており、その後装填されたディスクが第１種ディスクと判定された場合も、そのバッファリングされたデータＤ１は、そのまま記録処理することはできない。
そこでこれらの場合は、データＤ１については後に再エンコードして記録することとする。
一方で、ステップＦ１０７に進んだ以降、つまりディスク種別判別がなされた以降に入力されてくるデータについては、ディスク種別に合わせた圧縮／暗号化エンコードが行われてバッファリングされるため、そのデータをディスクに記録していくことになる。
【００５８】
ステップＦ１０７で開始された記録処理は、ステップＦ１０８で記録終了と判断されるまで継続される。例えばユーザーの操作や、或いはデータ入力の終了などで、システムコントローラ１が記録終了と判断し、バッファメモリ６のアドレスＡＤｎ＋１〜ＡＤｍの範囲がリングバッファとして用いられてバッファリングされたデータを全てディスクに記録したら、ステップＦ１０８からＦ１０９に進む。
そしてシステムコントローラ１は、続いてまだ記録していないデータ、つまりバッファメモリ６に保存しておいたデータＤ１の記録を行うことになる。即ち上述のようにデータＤ１は、現在のディスクに適合した圧縮／暗号化エンコードされていないため、これを現在のディスクに適合した圧縮／暗号化エンコードデータとなるように再エンコードを行う。そしてその再エンコードデータをディスクに記録させる。なお再エンコードの信号処理手順については後述する。
このステップＦ１０９で、データＤ１についての再エンコード及びディスクへの記録が完了したら、記録再生部８におけるデータ記録動作を終了させる。そしてステップＦ１１０に進み、今回の記録に応じて管理情報を更新し、記録処理を終える。管理情報は例えばバッファメモリ６の管理情報エリアにおいて内容を更新し、その後所定時点でディスク上の管理情報を書き換える。
【００５９】
この図４の処理により記録動作が行われることで、ディスクの種別（第１種／第２種）に応じて圧縮／暗号化エンコード方式が切り換えられる記録装置において、装填直後の入力データからの記録開始が実現できる。つまり録音機会を逃さないような記録動作が可能となる。つまり、ディスク種別が判別されていない時点では、第１種／第２種のいずれかのディスクに応じた圧縮／暗号化エンコードを行っておき、データのバッファリングは実行する。もし圧縮／暗号化エンコード方式が適合していれば、そのままディスクへの記録データとできるし、適合していなければ、そのデータを保持しておいて後の時点で再エンコードを行って記録すればよい。
【００６０】
ディスク上でのデータ記録の様子は図６のようになる。
図６はディスクの内周から外周側の記録領域を帯状に示したもので、内周側のリードイン領域と外周側のリードアウト領域に挟まれた区間がユーザデータ記録領域となる。
データＤ１とは上記のようにディスク種別判別前にバッファリングされたデータを示し、データＤ２とは、ディスク種別判別後、ディスクの種別に応じて圧縮／暗号化エンコードがされてバッファリングされたデータを示している。
上記ステップＦ１０３でディスクモード切換不要とされてステップＦ１０４の処理で記録が行われた場合、ディスクには図６（ａ）のようにデータ記録を行うことができる。
即ち、ディスク上のアドレスａｄ１から記録を開始するとすると、最初にバッファリングされたデータＤ１から記録を開始できるため、データＤ１、Ｄ２を、入力された時間的順序どおりにディスク上のアドレスａｄ１〜ａｄ４に記録していくことができる。
【００６１】
一方、上記ステップＦ１０３でディスクモード切換要とされ、ステップＦ１０６〜Ｆ１０９の処理で記録が行われた場合、ディスクには図６（ｂ）のようにデータ記録が行われる。
即ち、最初にバッファリングされたデータＤ１についてはバッファメモリ６に保持しておき、まず、ディスクモード切換後のバッファリングデータＤ２から記録を開始する。そしてその終了後にデータＤ１を再エンコードして記録することになるため、ディスク上では物理的位置としてデータＤ２が先の領域（アドレスａｄ１〜ａｄ３）に、データＤ１が後の領域（アドレスａｄ３〜ａｄ４）に記録される。
もちろんこのように時間的な順序と物理的な順序が異なって記録されても、管理情報（Ｕ−ＴＯＣ）において、適正にパーツ管理されることで問題ない。つまり再生時には最初にデータＤ１が再生され、続いてデータＤ２が再生されるように管理できる。
但し、図６（ａ）のように記録できた場合は、再生中に余分なアクセス動作が不要となる点で好適である。
【００６２】
また、そのようなことを考慮するなら、上記ステップＦ１０３でディスクモード切換要とされ、ステップＦ１０６〜Ｆ１０９の処理で記録が行われる場合に、図６（ｃ）のように記録を行うことも可能である。
即ち、まずデータＤ２の記録に関しては、データＤ１として必要な領域を確保して記録を開始する。即ちアドレスａｄ１〜ａｄ２が、データＤ１の再エンコード後の記録に必要と算出されれば、データＤ２をアドレスａｄ２以降に記録する。そしてアドレスａｄ２〜ａｄ４にデータＤ２の記録を行った後に、アドレスａｄ１〜ａｄ２に再エンコードされたデータＤ１４を記録する。
このようにすれば、データの時間的な順序とディスク上での物理的な位置の順序を合わせることができ、再生中のアクセス動作又は距離を少なくすることができる。
【００６３】
次に上記ステップＦ１０９での再エンコードの場合のデータ処理の流れについて図７で説明する。
図７（ａ）は、最初に第２種ディスクモードで圧縮／暗号化エンコードを行ってバッファリングしたが、ディスク判別結果に応じて第１種ディスクモードに切り換えた場合の再エンコード手順ＤＦ１〜ＤＦ７を示している。
ＤＦ１：この場合、再エンコード対象のデータＤ１は暗号化されているため、まずバッファメモリ６から読み出して、それを暗号化／復号処理部５に転送する。
ＤＦ２：暗号化／復号処理部５でデータＤ１の復号処理を行う。
ＤＦ３：復号されたデータＤ１を圧縮エンコーダ／デコーダ４に転送し、ＡＴＲＡＣ３方式の圧縮に対するデコードを行ってリニアＰＣＭデータの状態にする。なお、第２種ディスクモードにおいて上述した記録モード２−ｃが選択されていた場合は、圧縮処理は行われていないため、手順ＤＦ３のデコードは行われない。
ＤＦ４：リニアＰＣＭデータに戻されたデータＤ１をバッファメモリ６に格納する。
ＤＦ５：リニアＰＣＭデータに戻されたデータＤ１をバッファメモリ６から読み出し、圧縮エンコーダ／デコーダ４に転送する。
ＤＦ６：圧縮エンコーダ／デコーダ４においてＡＴＲＡＣ又はＡＴＲＡＣ３方式で圧縮エンコードを行う。
ＤＦ７：圧縮エンコードしたデータＤ１をバッファメモリ６に書き込む。
【００６４】
以上の手順で、データＤ１は、第１種ディスクに適合したデータとなる。従って、このように手順ＤＦ７でバッファメモリ６に書き込まれたデータについて、記録再生エンコーダ／デコーダ７に転送し、記録再生部８でディスクに記録していけばよい。
【００６５】
図７（ｂ）は、最初に第１種ディスクモードで圧縮／暗号化エンコードを行ってバッファリングしたが、ディスク判別結果に応じて第２種ディスクモードに切り換えた場合の再エンコード手順ＤＦ１１〜ＤＦ１７を示している。
ＤＦ１１：この場合、再エンコード対象のデータＤ１はＡＴＲＡＣ又はＡＴＲＡＣ３方式で圧縮されているため、まずバッファメモリ６から読み出して、それを圧縮エンコーダ／デコーダ４に転送する。
ＤＦ１２：圧縮エンコーダ／デコーダ４でＡＴＲＡＣ又はＡＴＲＡＣ３方式でのデコード処理を行う。
ＤＦ１３：圧縮エンコーダ／デコーダ４でのデコードでリニアＰＣＭデータの状態にしたデータＤ１をバッファメモリ６に格納する。
ＤＦ１４：リニアＰＣＭデータに戻されて格納されたデータＤ１をバッファメモリ６から読み出し、圧縮エンコーダ／デコーダ４に転送する。但し、第２種ディスクモードにおいて上述した記録モード２−ｃが選択されていた場合は、圧縮処理は行わないため暗号化／復号処理部５に転送する。
ＤＦ１５：圧縮エンコーダ／デコーダ４でＡＴＲＡＣ３方式の圧縮エンコードを行い、暗号化／復号処理部５に転送する。
ＤＦ１６：暗号化／復号処理部５で暗号化処理を行う。
ＤＦ１７：圧縮及び暗号化エンコードしたデータＤ１をバッファメモリ６に書き込む。
【００６６】
以上の手順で、データＤ１は、第２種ディスクに適合したデータとなる。従って、このように手順ＤＦ１７でバッファメモリ６に書き込まれたデータについて、記録再生エンコーダ／デコーダ７に転送し、記録再生部８でディスクに記録していけばよい。
【００６７】
ところで、上述のように第１種ディスクモードについては、記録モード１−ａ〜１−ｄのうちのいずれかが選択状態にある。また第２種ディスクモードについては、記録モード２−ａ〜２−ｃのうちのいずれかが選択状態にある。
例えばユーザー選択或いはデフォルト設定により、第１種ディスクモードに関しては記録モード１−ａが選択され、第２種ディスクモードに関しては記録モード２−ａが選択されているとする。
そして、ディスクモードが第１種ディスクモードとされているある時点で、上記図４の処理が行われると、その場合はステップＦ１０１での処理としては、第１種ディスクモードにおける記録モード１−ａの処理として、入力データに対してＡＴＲＡＣ方式の圧縮エンコードを行ってバッファメモリ６に格納するものとなる。
また、ディスクモードが第２種ディスクモードとされているある時点で、上記図４の処理が行われると、その場合はステップＦ１０１での処理としては、第２種ディスクモードにおける記録モード２−ａの処理として、入力データに対してＡＴＲＡＣ３ｐｌｕｓ方式の圧縮エンコードと暗号化を行ってバッファメモリ６に格納するものとなる。
【００６８】
第１種ディスクモードにおいて記録モードが１−ｂ又は１−ｃと選択されている場合、及び第２種ディスクモードにおいて記録モードが２−ｂ又は２−ｃと選択されている場合についても、同様にステップＦ１０１では、そのときのモードに応じた圧縮／暗号化エンコードが行われる。
但し、第１種ディスクモードにおいて記録モードが１−ｄ、即ちモノラル録音のモードとされている場合は、そのままでは不都合が生ずる。
即ち、図４の処理が開始された時点でディスクモードが第１種ディスクモードであったとした場合に、その第１種ディスクモードでの選択中の記録モード１−ｄによってモノラルデータとして圧縮処理してしまうと、そのデータは再エンコードによってステレオデータに戻すことができなくなる。
【００６９】
つまり、ステップＦ１０１の後のディスク判別結果により、第１種ディスクモードのままでよいとされた場合は問題ないが、第２種ディスクモードに切り換えることとなり、再エンコードが必要になった場合は、適正なデータに再エンコードできないものとなる。
そこで、図４には示さなかったが、モノラル録音としての記録モード１−ｄが用意されている記録装置の場合は、その記録モード１−ｄでの処理が選択されている場合のみは、ステップＦ１０１で、現在のモードでの入力データのエンコードを行わないようにすることが必要である。
例えば、現在第１種ディスクモードで記録モード１−ｄであったとしたら、第２種ディスクモードでステップＦ１０１の処理を行うようにすればよい。
【００７０】
＜第２の実施の形態＞
第２の実施の形態の記録再生装置の構成を図８に示す。なお、図１と同一部分は同一符号を付し、説明を省略する。この図８の構成では、圧縮エンコーダ／デコーダとして、同一の圧縮機能の２つの圧縮エンコーダ／デコーダ４ａ、４ｂを設けたものである。
通常の記録時では圧縮エンコーダ／デコーダ４ａ、４ｂの一方のみを用いればよい。
【００７１】
このように２つの圧縮エンコーダ／デコーダ４ａ，４ｂを設けるのは、再エンコード処理において信号処理手順を簡略化するためのものとなる。
ディスクが装填された直後に記録指示が行われた場合、上記第１の実施の形態と同じく図４の処理が行われるものとなるが、ステップＦ１０９での再エンコードが行われる場合は、図９に示すような手順で処理できる。
【００７２】
図９（ａ）は、最初に第２種ディスクモードで圧縮／暗号化エンコードを行ってバッファリングしたが、ディスク判別結果に応じて第１種ディスクモードに切り換えた場合の再エンコード手順ＤＦ１〜ＤＦ７を示している。上記図７（ａ）と比較して、手順ＤＦ４，ＤＦ５が不要となる。
ＤＦ１：この場合、再エンコード対象のデータＤ１は暗号化されているため、まずバッファメモリ６から読み出して、それを暗号化／復号処理部５に転送する。
ＤＦ２：暗号化／復号処理部５でデータＤ１の復号処理を行う。
ＤＦ３：復号されたデータＤ１を圧縮エンコーダ／デコーダ４ａに転送し、ＡＴＲＡＣ３方式の圧縮に対するデコードを行ってリニアＰＣＭデータの状態にする。なお、第２種ディスクモードにおいて上述した記録モード２−ｃが選択されていた場合は、圧縮処理は行われていないため、手順ＤＦ３のデコードは行われない。
ＤＦ６：リニアＰＣＭデータに戻されたデータＤ１を圧縮エンコーダ／デコーダ４ｂに転送し、ＡＴＲＡＣ又はＡＴＲＡＣ３方式で圧縮エンコードを行う。
ＤＦ７：圧縮エンコードしたデータＤ１をバッファメモリ６に書き込む。
以上の手順で、データＤ１は、第１種ディスクに適合したデータに再エンコードされる。
【００７３】
図９（ｂ）は、最初に第１種ディスクモードで圧縮／暗号化エンコードを行ってバッファリングしたが、ディスク判別結果に応じて第２種ディスクモードに切り換えた場合の再エンコード手順ＤＦ１１〜ＤＦ１７を示している。上記図７（ｂ）と比較して、手順ＤＦ１３，ＤＦ１４が不要となる。
ＤＦ１１：この場合、再エンコード対象のデータＤ１はＡＴＲＡＣ又はＡＴＲＡＣ３方式で圧縮されているため、まずバッファメモリ６から読み出して、それを圧縮エンコーダ／デコーダ４ａに転送する。
ＤＦ１２：圧縮エンコーダ／デコーダ４ａでＡＴＲＡＣ又はＡＴＲＡＣ３方式でのデコード処理を行い、リニアＰＣＭデータとする。
ＤＦ１５：リニアＰＣＭデータとされたデータＤ１を圧縮エンコーダ／デコーダ４ｂに転送し、ＡＴＲＡＣ３方式の圧縮エンコードを行い、暗号化／復号処理部５に転送する。但し、第２種ディスクモードにおいて上述した記録モード２−ｃが選択されていた場合は、圧縮処理は行わないため暗号化／復号処理部５に転送する。
ＤＦ１６：暗号化／復号処理部５で暗号化処理を行う。
ＤＦ１７：圧縮及び暗号化エンコードしたデータＤ１をバッファメモリ６に書き込む。
以上の手順で、データＤ１は、第２種ディスクに適合したデータに再エンコードされる。
【００７４】
即ち、エンコーダ／デコーダ４ａ、４ｂを設けることにより、再エンコード時に必要なデコード処理とエンコード処理を同時に実行できるため、上記のように再エンコード手順を簡略化できる。再エンコード手順の簡略化によれば、記録動作の完了までの時間短縮効果を得ることができる。
【００７５】
＜第３の実施の形態＞
第３の実施の形態を説明する。なお、記録再生装置の構成は図１と同様とする。
この第３の実施の形態では、最初、つまりディスク種別判別が行われるまでの入力データについては、圧縮／暗号化エンコードを行わず、リニアＰＣＭデータのままバッファリングするものである。
【００７６】
ディスク装填直後に記録操作が行われた場合のシステムコントローラ１による処理を図１０に示す。
ディスク装填直後、つまり初期動作が完了していない時点で記録操作が行われると、システムコントローラ１はまずステップＦ２０１として、入力データについてそのまま、つまり現在のモード等に応じた圧縮／暗号化エンコードを行わずに、リニアＰＣＭデータのままバッファメモリ６へのバッファリングを開始させる。
【００７７】
システムコントローラ１は、入力データについてバッファリングを開始させたら、ステップＦ２０２で記録再生部８に対して初期動作を開始させる。これに応じて記録再生部８において初期動作、即ち上述したようにサーボ系の整定や管理情報読出、ディスク判別が行われる。
記録再生部８において初期動作が完了することで、記録再生部８でディスクに対するデータ記録が可能となると共に、システムコントローラ１は装填されたディスクが第１種ディスクであったか第２種ディスクであったかを判別できることとなる。
【００７８】
ステップＦ２０３では、システムコントローラ１は判別されたディスク種別（第１種／第２種）に応じて、ディスクモードを設定する。つまり圧縮エンコーダ／デコーダ４及び暗号化／復号処理部５に対してディスクモードを指示する。
次にステップＦ２０４に進み、ディスクへの記録処理を開始する。この場合、ディスクモード設定以降に入力されてくるデータについて、設定したディスクモードでの入力データの圧縮／暗号化エンコード、バッファリング、バッファリングしたデータの記録再生エンコーダ／デコーダ７への転送、記録再生部８におけるディスクへの記録を実行させる。
即ちこの場合、この時点までにおいてバッファメモリ６にバッファリングしたデータは、入力されたリニアＰＣＭデータのままであり、そのまま記録データ処理することができないため、ディスクモード設定以降の入力データ、つまりディスクモードに応じた圧縮／暗号化エンコードが行われてバッファメモリ６にバッファリングされたデータから、ディスク記録を実行させる。
これは上記図４のステップＦ１０７と同様の動作となる。
【００７９】
ステップＦ２０４で開始された記録処理は、ステップＦ２０５で記録終了と判断されるまで継続される。例えばユーザーの操作や、或いはデータ入力の終了などで、システムコントローラ１が記録終了と判断し、かつその時点までにバッファリングされたデータを全てディスクに記録したら、ステップＦ２０５からＦ２０６に進む。
そしてシステムコントローラ１は、続いてまだ記録していないデータ、つまりバッファメモリ６に保存しておいたデータ（リニアＰＣＭデータ）の記録を行うことになる。
このためバッファメモリ６に残されたデータについて現在のディスクに適合した圧縮／暗号化エンコードデータとなるようにエンコードを行う。そしてそのエンコードデータをディスクに記録させる。
このステップＦ２０６で、最初にリニアＰＣＭデータのままバッファリングされたデータについてのエンコード及びディスクへの記録が完了したら、記録再生部８におけるデータ記録動作を終了させる。そしてステップＦ２０７に進み、今回の記録に応じて管理情報を更新し、記録処理を終える。管理情報は例えばバッファメモリ６の管理情報エリアにおいて内容を更新し、その後所定時点でディスク上の管理情報を書き換える。
【００８０】
この図１０の処理は、つまり、ディスク種別が判別されていない時点では、入力されたデータをそのままバッファリングする。そしてディスク種別判別後の入力データについては、種別に応じた圧縮／暗号化エンコード方式を設定し、そのエンコードを実行させ、バッファリングする。そしてそのデータを順次ディスクに記録していく。その記録が完了したら、最初にリニアＰＣＭデータでバッファリングしたデータをエンコードし、ディスクへの記録する。
このような記録動作が行われることによっても、ディスクの種別（第１種／第２種）に応じて圧縮／暗号化エンコード方式が切り換えられる記録装置において、装填直後の入力データからの記録開始が実現できる。つまり録音機会を逃さないような記録動作が可能となる。
【００８１】
なお、この図１０の処理において、ステップＦ２０６でのエンコード（図４における再エンコードに相当）の際の信号処理手順は図１１のようになる。
【００８２】
図１１（ａ）は、ディスク判別結果に応じて第１種ディスクモードに設定した場合のエンコード手順ＤＦ１〜ＤＦ７を示している。上記図７（ａ）と比較して、手順ＤＦ２〜ＤＦ５が不要となる。
ＤＦ１：この場合、エンコード対象のデータＤ１は、未だ何も圧縮／暗号化エンコードされていないリニアＰＣＭデータである。これをバッファメモリ６から読み出して、圧縮エンコーダ／デコーダ４に転送する。
ＤＦ６：リニアＰＣＭデータＤ１に対して圧縮エンコーダ／デコーダ４でＡＴＲＡＣ又はＡＴＲＡＣ３方式で圧縮エンコードを行う。
ＤＦ７：圧縮エンコードしたデータＤ１をバッファメモリ６に書き込む。
以上の手順で、データＤ１は、第１種ディスクに適合したデータにエンコードされる。
【００８３】
図１１（ｂ）は、ディスク判別結果に応じて第２種ディスクモードに設定した場合のエンコード手順ＤＦ１１〜ＤＦ１７を示している。上記図７（ｂ）と比較して、手順ＤＦ１２〜ＤＦ１４が不要となる。
ＤＦ１１：この場合も、エンコード対象のデータＤ１は、未だ何も圧縮／暗号化エンコードされていないリニアＰＣＭデータである。これをバッファメモリ６から読み出して、圧縮エンコーダ／デコーダ４に転送する。但し、第２種ディスクモードにおいて上述した記録モード２−ｃが選択されていた場合は、圧縮処理は行わないため暗号化／復号処理部５に転送する。
ＤＦ１５：リニアＰＣＭデータＤ１を圧縮エンコーダ／デコーダ４でＡＴＲＡＣ３方式の圧縮エンコードを行い、暗号化／復号処理部５に転送する。
ＤＦ１６：暗号化／復号処理部５で暗号化処理を行う。
ＤＦ１７：圧縮及び暗号化エンコードしたデータＤ１をバッファメモリ６に書き込む。
以上の手順で、データＤ１は、第２種ディスクに適合したデータにエンコードされる。
【００８４】
このような第３の実施の形態の処理によれば、最初に圧縮／暗号化エンコードを行わずにリニアＰＣＭデータのままバッファリングするため、「再エンコード」という処理は発生しない。つまり、ディスクに記録されるデータについてみれば、一旦圧縮／暗号化エンコードされた後デコードされて再度異なる圧縮／暗号化エンコードされるといった手順を踏むデータは無いものとなる。
上記第１の実施の形態の場合、再エンコードによって多少のデータ劣化が発生することが考えられるが、本例によれば、そのようなデータ劣化は生じない点で有効である。
【００８５】
＜第４の実施の形態＞
第４の実施の形態は、上記第１の実施の形態と同様の構成において、ディスク装填直後に記録操作が行われた際のバッファリング処理の変形例である。
ディスク装填直後に記録操作が行われた際のシステムコントローラ１による処理を図１２に示す。但し、この図１２の処理はステップＦ１０２〜Ｆ１１０は上記図４と同様であり説明を省略する。
この場合、ステップＦ１０１ａとして示すように、ディスク種別判別前のバッファリングにおける圧縮／暗号化エンコード方式の設定に特徴を有する。
即ち、現在のディスクモード（及び記録モード）に応じた圧縮／暗号化エンコードを行うものとはせずに、現在の記録モードの組み合わせから予め決められた方を選択して圧縮／暗号化エンコードを行うようにする。
【００８６】
上述のように、第１種ディスクモードについては、記録モード１−ａ〜１−ｄのうちのいずれかが選択状態にある。また第２種ディスクモードについては、記録モード２−ａ〜２−ｃのうちのいずれかが選択状態にある。
つまり、ある時点においては第１種ディスクモードとされる場合は、記録モード１−ａ〜１−ｄのうちの１つの処理が実行され、また第２種ディスクモードとされると、記録モード２−ａ〜２−ｃのうちの１つの処理が実行される。
そして、例えば上述してきたように、ディスク種別判別前に第１種／第２種のいずれかに適合した圧縮／暗号化エンコードを行ってバッファリングするとすると、その時点で選択されている記録モード１−ａ〜１−ｄのうちの１つと、記録モード２−ａ〜２−ｃのうちの１つの組み合わせにおいて、その一方の処理が選択されるものとなる。
そこで第４の実施の形態では、その記録モードの組み合わせから、予め選択する圧縮／暗号化エンコード方式を決めておき、ステップＦ１０１ａにおいては、現在の組み合わせにおいて、予め決められた方を選択して圧縮／暗号化エンコードを実行する。
【００８７】
図１３に、第１種／第２種のディスクモードにおける、記録モードの組み合わせを示した。図３で説明した記録モードの例で言えば、（１）〜（１２）の１２とおりの組み合わせがある。
例えば組み合わせ（１）は、第１種ディスクモードの際には２９２kbpsのビットレートでＡＴＲＡＣ圧縮が行われ、第２種ディスクモードの際には２５６kbpsのビットレートでＡＴＲＡＣ３ｐｌｕｓ圧縮及び暗号化が行われるように選択されている場合である。
【００８８】
このような組み合わせに対して、選択例１、２として示すように、ステップＦ１０１ａで実行する圧縮／暗号化エンコードを予め設定しておく。
例えば選択例１の場合、図１２のステップＦ１０１ａを実行する際のモード選択状態が、組み合わせ（１）であったとしたら、記録モード２−ａ、つまり第２種ディスクモードを選択して、２５６kbpsのビットレートでＡＴＲＡＣ３ｐｌｕｓ圧縮及び暗号化を行ってバッファリングする。またステップＦ１０１ａを実行する際のモード選択状態が、組み合わせ（２）であったとしたら、記録モード１−ａ、つまり第１種ディスクモードを選択して、２９２kbpsのビットレートでＡＴＲＡＣ圧縮を行ってバッファリングする。
組み合わせ（３）〜（１２）の場合も、それぞれ選択例１として一方が決められており、システムコントローラ１は、ステップＦ１０１ａを実行する際に、その決められた方を選択して圧縮／暗号化エンコードを実行させる。
【００８９】
この選択例１では、各組み合わせにおいて、圧縮処理後のデータ品質（オーディオデータの音質）の良い方を選択するように設定したものである。
上述のように、ディスク種別判別前のバッファリング時に、第１種／第２種の一方の方式で圧縮／暗号化エンコードを行う場合、再エンコードが必要になる場合がある。再エンコードによってはデータ劣化（音質悪化）が懸念されるが、先にバッファリングする際に、より高品位な圧縮方式でエンコードしておくようにすると、再エンコードの際の音質劣化を少なくできるため、その点で、この選択例１は好適となる。
【００９０】
また選択例２は、ビットレートの低い方を選択する例である。
選択例２の場合、図１２のステップＦ１０１ａを実行する際のモード選択状態が、組み合わせ（１）であったとしたら、記録モード２−ａ、つまり第２種ディスクモードを選択して、２５６kbpsのビットレートでＡＴＲＡＣ３ｐｌｕｓ圧縮及び暗号化を行ってバッファリングする。またステップＦ１０１ａを実行する際のモード選択状態が、組み合わせ（２）であったとしたら、記録モード２−ｂ、つまり第２種ディスクモードを選択して、６４kbpsのビットレートでＡＴＲＡＣ３ｐｌｕｓ圧縮及び暗号化を行ってバッファリングする。さらに組み合わせ（３）であったとしたら、記録モード１−ａ、つまり第１種ディスクモードを選択して、２９２kbpsのビットレートでＡＴＲＡＣ圧縮を行ってバッファリングする。
組み合わせ（４）〜（１２）の場合も、それぞれ図示するようにて選択する一方が決められており、システムコントローラ１は、ステップＦ１０１ａを実行する際に、その決められた方を選択して圧縮／暗号化エンコードを実行させる。
但し、上述した同様の理由で、モノラル記録である記録モード１−ｄについては選択しないようにしている。
【００９１】
ビットレートが低い方を選択するのは、バッファメモリ６においてリングメモリとして使用できる範囲を広くできるようにしたい場合に好適となる。
例えば図５で説明したように、ディスク種別判別によってディスクモードを切り換える必要があった場合は、最初にバッファリングしたデータＤ１はそのまま再エンコードするときまで保存しておかなければならない。このため、ディスクモード切換後に入力されてくるデータについてのリングバッファ領域が狭くなる。リングバッファ領域のサイズは、オーディオデータのようなリアルタイム性を有するデータに関し、ショックプルーフとしての能力を決定するものとなる。公知の通り、ショックプルーフ機能とは、振動や衝撃によってディスクへの記録が一時的に不能となっても、データ欠落無く記録できるようにする機能であり、リングバッファ領域のサイズが大きいほど、長時間のショックに耐えられるようになる。
このショックプルーフ機能を優先させたい場合は、なるべくリングバッファ領域を広く確保したいが、そのためには保存するデータＤ１のサイズが少ないほど良い。つまりビットレートの小さい方で圧縮エンコーダを行うことは、データＤ１のサイズを小さくするものとなり、リングバッファ領域の確保に好適となる。
【００９２】
なお、ここではビットレートの低い方を選択する選択例を挙げたが、上述のように信号品質を確保することを優先させる場合は、ビットレートの高い方を選択するという例も考えられる。
【００９３】
以上、本発明の実施の形態について説明してきたが、本発明は上記実施の形態に限定されず、構成や処理において各種の変形例が考えられる。
また、ミニディスクシステムを例に挙げたが、他の種のディスクシステム（例えばＣＤシステム、ＤＶＤシステム）における記録装置、記録方法としても本発明は適用可能である。
【図面の簡単な説明】
【００９４】
【図１】本発明の第１の実施の形態の記録再生装置のブロック図である。
【図２】第１種、第２種ディスクに対する記録処理の説明図である。
【図３】実施の形態の記録再生装置において行われるエンコード方式の説明図である。
【図４】第１の実施の形態の記録処理のフローチャートである。
【図５】実施の形態の記録処理に係るバッファメモリの使用状態の説明図である。
【図６】実施の形態の記録処理によるディスク上の記録状態の説明図である。
【図７】実施の形態の再エンコードの際の信号処理の説明図である。
【図８】第２の実施の形態の記録再生装置のブロック図である。
【図９】第２の実施の形態の再エンコードの際の信号処理の説明図である。
【図１０】第３の実施の形態の記録処理のフローチャートである。
【図１１】第３の実施の形態の再エンコードの際の信号処理の説明図である。
【図１２】第４の実施の形態の記録処理のフローチャートである。
【図１３】第４の実施の形態におけるエンコード方式選択例の説明図である。
【符号の説明】
【００９５】
１  システムコントローラ、４  圧縮エンコーダ／デコーダ、５  暗号化／復号処理部、６  バッファメモリ、７  記録再生エンコーダ／デコーダ、８  記録再生部、９  メモリ制御部、１０  操作部、１１  表示部
【図１】
2005056525.tif 000003
【図２】
2005056525.tif 000004
【図３】
2005056525.tif 000005
【図４】
2005056525.tif 000006
【図５】
2005056525.tif 000007
【図６】
2005056525.tif 000008
【図７】
2005056525.tif 000009
【図８】
2005056525.tif 000010
【図９】
2005056525.tif 000011
【図１０】
2005056525.tif 000012
【図１１】
2005056525.tif 000013
【図１２】
2005056525.tif 000014
【図１３】
2005056525.tif 000015